(57)【要約】【課題】本考案は、国内のみならず海外への旅行や近隣の散策等における種々の記録の収納及び保管に便利な電子データ記録媒体収納用シートを備えた記録帳を提供することを目的とする。【解決手段】本考案に係る記録帳Ａは、綴じ込み用カバー１０と、綴じ込みパーツ２０とから構成され、前記綴じ込み用カバー１０は、表表紙１１、裏表紙１２、背表紙１３及び綴じ込み具を備え、背表紙には引き出し可能な幅調整代を設けた構造をなし、前記綴じ込みパーツ２０は、電子データ記録媒体収納用シート、スタンプ押印用シート、記録記入用シート、写真収納用シート、筆記具収納シート、画具収納シート等の綴じ込み用カバーに綴じ込み及び取り外し可能なパーツから構成されていることを特徴とする。【選択図】  図１
0003166535.tif 000002
【実用新案登録請求の範囲】
【請求項１】
綴じ込み用カバーと、該綴じ込み用カバーに綴じ込み及び取り外し可能な綴じ込みパーツとから構成され、
前記綴じ込み用カバーは、表表紙、裏表紙、背表紙及び綴じ込み具を備え、背表紙には引き出し可能な幅調整代を設けたことにより綴じ込み厚み量を増減させることが可能な構造をなし、
前記綴じ込みパーツは、スタンプ押印用シート、記録記入用シート、写真収納用シート、及び、電子データ記録媒体収納用シートからなる群のうち、少なくとも電子データ記録媒体収納用シートを含んで構成されている
ことを特徴とする記録帳。
【請求項２】
綴じ込みパーツに筆記具が含まれていることを特徴とする請求項１に記載の記録帳。
【請求項３】
綴じ込みパーツに画具が含まれていることを特徴とする請求項１又は２に記載の記録帳。
【請求項４】
請求項１〜３のいずれか１項に記載の記録帳に綴じ込みが可能であることを特徴とする綴じ込みパーツ。
【請求項５】
請求項１〜４のいずれか１項に記載の綴じ込みパーツが綴じ込み可能であることを特徴とする携行用ファイル。
【考案の詳細な説明】
【技術分野】
【０００１】
本考案は、国内のみならず海外への旅行や近隣の散策における記録、会合や活動等の記録、その他思い出になる事柄、しおり又は写真等の記録を収納・保管する記録帳に関する。
【背景技術】
【０００２】
従来より下記特許文献１〜８に示されるような種々の記録帳が提案されている。ところが、今日、デジタルカメラやデジタルビデオカメラ等のデジタル機器の使用が増大し、ネガフィルムやビデオテープの利用が減少してきているのが現状である。そして、デジタルカメラは手軽に撮影できるために必然的に撮影枚数が増えるので、撮影した全ての画像をプリントアウトすることは合理的ではなく、一部を印刷し、その他の画像はコンピュータに記録するか又はＣＤやＤＶＤに記録して保管されている。このように記録画像のデジタルデータは、ＣＤやＤＶＤ等の電子データ記録媒体に記録されて保管されるのが一般的になってきており、その方が便利である。
【先行技術文献】
【特許文献】
【０００３】
【特許文献１】特開２０００−３３５１５３号公報
【特許文献２】特許２８３８０４８号公報
【特許文献３】実開昭６０−１５２４５４号公報
【特許文献４】実用新案登録第３００３８５０号公報
【特許文献５】実用新案登録第３１１７８１７号公報
【特許文献６】実開平６−８１７６７号公報
【特許文献７】実用新案登録第３１０７８８６号公報
【特許文献８】実開平４−５４８８５号公報
【考案の概要】
【考案が解決しようとする課題】
【０００４】
しかしながら、上記の特許文献１〜８に示される記録帳には、電子データ記録媒体収納用シートを備えたものはなかった。
【０００５】
そこで、本考案者は、鋭意研究をした結果、国内のみならず海外への旅行や近隣の散策等（すなわち、日本における神道の神社、仏教の仏閣、聖地・霊場（西国三十三所霊場、西国八十八所霊場等を含むその他各地方の霊場）の巡礼・巡拝をはじめ、外国においては韓国の観音霊場、台湾の観音霊場、キリスト教、ユダヤ教、イスラム教、ヒンズー教などの各教会、礼拝堂のほか、宗教施設、同建築物、同遺跡への巡礼・巡拝、ならびに内外の世界遺産巡り、同名勝地巡り、同観光地巡り等）における記録、誕生から幼少青年期を経て冠婚葬祭に至る人生の記録、各種会合（同窓会、敬老会、親睦会その他種々の会合）の記録、各種活動（学校活動、会社行事、政治活動、自治会活動、学習・スポーツ・娯楽等のサークル等のグループ活動その他種々の活動）の記録、商店街の商店訪問に関するスタンプラリー、その他の各種スタンプラリー（鉄道駅、道の駅、市内や観光地などある一定のテーマの中でスタンプを集めること）、オリエンテーリング（地図とコンパスを用いた野外活動）の記録等々の種々の記録の収納及び保管に便利な電子データ記録媒体収納用シートを備えた記録帳を開発した。
【課題を解決するための手段】
【０００６】
本考案に係る記録帳は、綴じ込み用カバーと、該綴じ込み用カバーに綴じ込み及び取り外し可能な綴じ込みパーツとから構成され、前記綴じ込み用カバーは、表表紙、裏表紙、背表紙及び綴じ込み具を備え、背表紙には引き出し可能な幅調整代を設けたことにより綴じ込み厚み量を増減させることが可能な構造をなし、前記綴じ込みパーツは、スタンプ押印用シート、記録記入用シート、写真収納用シート、及び、電子データ記録媒体収納用シートからなる群のうち、少なくとも電子データ記録媒体収納用シートを含んで構成されていることを特徴とする。
【０００７】
このように記録帳を構成したことによって、デジタルカメラやデジタルビデオカメラ等のデジタル機器によって撮影したデジタル画像データを記録したＣＤやＤＶＤ等の電子データ記録媒体を電子データ記録媒体収納用シートに簡単に収納できるので便利である。また、当該記録帳は、押印済のスタンプ押印用シート、記入済の記録記入用シート、写真を収納した写真収納用シート、及び、ＣＤやＤＶＤを収納した電子データ記録媒体収納用シート等の綴じ込みパーツを、旅行や散策毎に一纏めにして綴じ込んでおくことができるので整理に便利であり、回想録として利用する際にも便利である。
【０００８】
また、前記の記録帳の構成に加えて、綴じ込みパーツに筆記具が含まれている構成としてもよい。このように記録帳を構成したことによって、筆記具の携帯に気を配らなくてよく、筆記具を携帯することを忘れることがなくなるので便利である。
【０００９】
さらに、前記の各記録帳の構成に加えて、綴じ込みパーツに画具が含まれている構成としてもよい。このように記録帳を構成したことによって、外出先で風景などのスケッチをしようと思ったときには、すぐに対応できるので便利である。
【００１０】
また、本考案の綴じ込みパーツは、前記の各記録帳に綴じ込みが可能であることを特徴とする。このように綴じ込みパーツを構成したことによって、綴じ込みが可能なものであれば、種々の綴じ込みパーツを記録帳に綴じ込むことができるので便利である。
【００１１】
さらに、本考案の携行用ファイルは、前記の各綴じ込みパーツが綴じ込み可能であることを特徴とする。このように携行用ファイルを構成したことにより、当該携行用ファイルに  外出先で入り用の綴じ込みパーツのみを綴じ込んで携行することができるので外出時での携帯に便利である。
【考案の効果】
【００１２】
本考案の記録帳は、上記のように構成したので、電子データ記録媒体を収納でき、記録保管に便利である。また、綴じ込みパーツとして筆記具を備えた場合には、筆記具を別途に持参する必要がなく、記録記入用シートに随時記入することが可能となり、便利である。さらに、綴じ込みパーツとして画具を備えた場合には、記録記入用シートに随時スケッチを描くことが可能となり、便利である。さらにまた、綴じ込みパーツを別途作成しておけば、必要に応じて補給することができる利点がある。しかも、綴じ込みパーツを綴じ込むことが可能な携行用ファイルを別途用意しておけば、外出先で使用する必要な綴じ込みパーツを綴じ込んで携行することができるので、嵩張らず便利である。
【図面の簡単な説明】
【００１３】
【図１】本考案の実施例に係る記録帳の全体斜視図である。
【図２】本考案の実施例に係る記録帳の綴じ込み用カバーの斜視図である。
【図３】本考案の実施例に係る記録帳の綴じ込み用カバーの分解斜視図である。
【図４】本考案の実施例に係る記録帳の綴じ込みパーツであるスタンプ押印用シートの斜視図である。
【図５】本考案の実施例に係る記録帳の綴じ込みパーツである記録記入用シートの斜視図である。
【図６】本考案の実施例に係る記録帳の綴じ込みパーツである写真収納用シートの斜視図である。
【図７】本考案の実施例に係る記録帳の綴じ込みパーツである電子データ記録媒体収納用シートの斜視図である。
【図８】本考案の実施例に係る記録帳の綴じ込みパーツである筆記具の斜視図である。
【図９】本考案の実施例に係る記録帳の綴じ込みパーツである画具の斜視図である。
【図１０】本考案の実施例に係る携行用ファイルの斜視図である。
【考案を実施するための形態】
【００１４】
以下、本考案に係る記録帳及び携行用ファイルの実施例について、添付の図面に基づき詳細に説明する。
【実施例】
【００１５】
図１に示すＡは、本考案に係る記録帳の全体斜視図であり、記録帳Ａは、綴じ込み用カバー１０と綴じ込みパーツ２１、２２、２３、２４、２５、２６（総称する場合は「綴じ込みパーツ２０」という場合がある。）とから構成される。
【００１６】
綴じ込み用カバー１０は、図２及び図３に示すように、表表紙１１、裏表紙１２、背表紙１３及び綴じ込み具１４とから構成されている。
【００１７】
表表紙１１には、背表紙側に折り返した折曲端部１１ａが形成されており、当該折曲端部１１ａの上部及び下部に丸穴１１ｂが形成されている。
【００１８】
裏表紙１２にも背表紙側に折り返した折曲端部１２ａが形成されており、当該折曲端部１２ａの上部及び下部に表表紙１１の丸穴１１ｂに対応する位置に丸穴１２ｂが形成されている。
【００１９】
背表紙１３は、湾曲状に折り返した細幅片１３ａと太幅片１３ｃとから構成される。細幅片１３ａには、その上部及び下部に表表紙１１の丸穴１１ｂに対応する位置に丸穴１３ｂが形成されている。また、太幅片１３ｃは幅調整代１３ｄを有しており、その上部及び下部に表表紙１１の丸穴１１ｂに対応する位置に幅調整代１３ｄの幅方向に長いスライド穴１３ｅが形成されている。
【００２０】
綴じ込み具１４は、雌側ビス１４ａと雄側ビス１４ｃとからなり、雌側ビス１４ａの嵌合孔１４ｂに雄側ビス１４ｃの突起部１４ｄを嵌め込むことにより雌側ビス１４ａと雄側ビス１４ｃとが結合でき、また、雌側ビス１４ａの嵌合孔１４ｂから雄側ビス１４ｃの突起部１４ｄを引き抜くことにより雌側ビス１４ａと雄側ビス１４ｃとが分離できるようになっている。
【００２１】
なお、本実施例における表表紙１１、裏表紙１２及び背表紙１３は無模様で表しているが、種々の図柄を描いて装飾性を高めることができ、また、裏表紙には名札入れを設けてもよい。
【００２２】
上記の構成よりなる綴じ込み用カバー１０は、背表紙１３を表表紙１１の折曲端部１１ａと裏表紙１２の折曲端部１２ａとで挟み込み、雌側ビス１４ａを表表紙１１の丸穴１１ｂ、背表紙１３の丸穴１３ｂ及びスライド穴１３ｅ、裏表紙１２の丸穴１２ｂの順に挿通し、雌側ビス１４ａの嵌合孔１４ｂに雄側ビス１４ｃの突起部１４ｄを嵌め込むことにより組立が完成する。
【００２３】
前記綴じ込みパーツ２０は、雌側ビス１４ａを表表紙１１の丸穴１１ｂ、背表紙１３の丸穴１３ｂに挿通して綴じ込みパーツ２０の丸穴２０ａに挿通した後、背表紙１３のスライド穴１３ｅ、裏表紙１２の丸穴１２ｂに挿通し、雌側ビス１４ａの嵌合孔１４ｂに雄側ビス１４ｃの突起部１４ｄを嵌め込むことにより綴じ込むことができる。その際、雌側ビス１４ａに対して背表紙１３のスライド穴１３ｅをスライドさせて幅調整代１３ｄを引き出せば、背表紙１３の幅が引き出した幅調整代１３ｄ分だけ大きくなるので、綴じ込みパーツ２０の厚みに応じて背表紙１３の幅の調整することができる。
【００２４】
綴じ込みパーツ２０は、図４に示す電子データ記録媒体収納用シート２１、図５に示すスタンプ押印用シート２２、図６に示す記録記入用シート２３、図７に示す写真収納用シート２４、図８に示す筆記具収納シート２５、図９に示す画具収納シート２６等から構成される。
【００２５】
電子データ記録媒体収納用シート２１は、図においてその左端部に、綴じ込み用カバー１０における表表紙１１の丸穴１１ｂに対応する位置に丸穴２１ａが形成されており、ＣＤやＤＶＤ等の電子データ記録媒体Ｂを収納する袋部２１ｂが設けられている。
【００２６】
スタンプ押印用シート２２は、図においてその左端部に、綴じ込み用カバー１０における表表紙１１の丸穴１１ｂに対応する位置に丸穴２２ａが形成されており、その全面がスタンプや朱印などを押印できるスペースとなっている。なお、スタンプや朱印に応じて図柄や文字等を記載しておいてもよい。
【００２７】
記録記入用シート２３は、図においてその左端部に、綴じ込み用カバー１０における表表紙１１の丸穴１１ｂに対応する位置に丸穴２３ａが形成されており、その全面に罫を引いて書き込み可能になっている。なお、予め記入する項目を記載しておいてもよい。
【００２８】
写真収納用シート２４は、図においてその左端部に、綴じ込み用カバー１０における表表紙１１の丸穴１１ｂに対応する位置に丸穴２４ａが形成されており、現像した写真を収納する袋部２４ｂが設けられている。
【００２９】
筆記具収納シート２５は、図においてその左端部に、綴じ込み用カバー１０における表表紙１１の丸穴１１ｂに対応する位置に丸穴２５ａが形成されており、鉛筆やボールペンなどの筆記具Ｃを差し込む筒部２５ｂと定規などを収納するポケット２５ｃとが設けられている。
【００３０】
画具収納シート２６は、図においてその左端部に、綴じ込み用カバー１０における表表紙１１の丸穴１１ｂに対応する位置に丸穴２６ａが形成されており、色鉛筆などの画具を差し込む筒部２６ｂが設けられている。
【００３１】
また、本実施例に係る記録帳には、図１０に示す携行用ファイル３０が付随している。該携行用ファイル３０は、綴じ込み用カバー１０における表表紙１１と略同一構成の表表紙３１、綴じ込み用カバー１０における裏表紙１２と略同一構成の裏表紙３２及び綴じ込み用カバー１０における綴じ込み具１４と略同一構成の綴じ込み具３４とから構成され、綴じ込み用カバー１０から背表紙１２を除いた形態である。当該携行用ファイル３０は、前記の綴じ込みパーツ２０から外出時に携行すべきものだけを綴じ込み、記録保管用のものは綴じ込まないようにすると、軽量でコンパクトとなるので、携帯に好都合である。例えば、綴じ込みパーツ２０のうち、スタンプ押印用シート２２、記録記入用シート２３、筆記具収納シート２５及び画具収納シート２６を携行用ファイル３０に綴じ込んで携行し、電子データ記録媒体収納用シート２１及び写真収納用シート２４は綴じ込まないようにする。そして、押印済のスタンプ押印用シート２２及び記入済の記録記入用シート２３は、前述した記録帳Ａに追加して綴じ込むように使用すれば、記録帳Ａ及び携行用ファイル３０はより一層便利に使用できる。
【００３２】
以上のように本実施例に係る記録帳Ａ及び携行用ファイル３０を構成したので、デジタルカメラやデジタルビデオカメラ等のデジタル機器によって撮影したデジタル画像データを記録したＣＤやＤＶＤ等の電子データ記録媒体を電子データ記録媒体収納用シート２１に簡単に収納できるので便利である。また、当該記録帳Ａは、押印済のスタンプ押印用シート２２、記入済の記録記入用シート２３、写真を収納した写真収納用シート２４、及び、ＣＤやＤＶＤを収納した電子データ記録媒体収納用シート２１等の綴じ込みパーツを、旅行や散策毎に一纏めにして綴じ込んでおくことができるので整理に便利であり、回想録として利用する際にも便利である。
【００３３】
また、本実施例に係る記録帳Ａは、綴じ込みパーツとして筆記具収納シート２５を採用した構成であるため、筆記具の携帯に気を配らなくてよく、筆記具を携帯することを忘れることがなくなるので便利である。
【００３４】
さらに、本実施例に係る記録帳Ａは、綴じ込みパーツとして画具収納シート２６を採用した構成であるため、外出先で風景などのスケッチをしようと思ったときには、すぐに対応できるので便利である。
【００３５】
さらにまた、本実施例に係る記録帳Ａは、携行用ファイル３０を付随するものであるため、当該携行用ファイル３０に  外出先で入り用の綴じ込みパーツのみを綴じ込んで携行することができるので外出時での携帯に便利である。
【００３６】
なお、本実施例に係る綴じ込みパーツ２０は、綴じ込み用カバー１０における表表紙１１の丸穴１１ｂに対応する位置に丸穴のある扁平なものであれば、どのようなものでも記録帳Ａに綴じ込み可能であり、本実施例で説明した綴じ込みパーツ２０に限られるものではない。また、綴じ込みパーツのみを製品とし、必要な綴じ込みパーツが不足すれば補完できるようにしてもよい。
【産業上の利用可能性】
【００３７】
本考案の記録帳が存在すれば、すなわち、本考案の記録帳を販売し、パソコンを設置している写真撮影スタジオ、写真材料店、文房具店（百貨店、スーパー、コンビニなどを含む）、ならびに観光地の案内所、ホテルのフロント、旅館の帳場などに於いて、所属職員が、デジタルカメラ、デジタルムービカメラなどを所有する観光客、一般市民などが撮影した静止画像、または動画を、ＣＤ、ならびにＤＶＤに移項する行為を副業として適正価格で引き受ける新しいビジネスが発生する。もちろん、前記の新しいビジネスにおける利益は、案内所、ホテル、旅館などの正規の売上げに計上し、または職員、社員、従業員らの福利厚生費の一部に充当することができる。なお、上記のビジネスにおいて、静止画像や動画をＣＤやＤＶＤに移し替える際に、ＣＤ・ＤＶＤの表面に、観光地、ならびに案内所、ホテル、旅館などの建物と周辺・景観のほか、名称・住所・電話番号、撮影月日、撮影者などの記録に必要な事項を印刷するプリントサービスを付加することができることはいうまでもない。
【符号の説明】
【００３８】
Ａ・・・・記録帳
１０・・・綴じ込み用カバー
１１・・・表表紙                  １１ａ・・折曲端部
１１ｂ・・丸穴
１２・・・裏表紙                  １２ａ・・折曲端部
１２ｂ・・丸穴
１３・・・背表紙                  １３ａ・・細幅片
１３ｂ・・丸穴                    １３ｃ・・太幅片
１３ｄ・・幅調整代                １３ｅ・・スライド穴
１４・・・綴じ込み具              １４ａ・・雌側ビス
１４ｂ・・嵌合孔                  １４ｃ・・雄側ビス
１４ｄ・・突起部
２０・・・綴じ込みパーツ
２１・・・綴じ込みパーツ（電子データ記録媒体収納用シート）
２１ａ・・丸穴                    ２１ｂ・・袋部
２２・・・綴じ込みパーツ（スタンプ押印用シート）
２２ａ・・丸穴
２３・・・綴じ込みパーツ（記録記入用シート）
２３ａ・・丸穴
２４・・・綴じ込みパーツ（写真収納用シート）
２４ａ・・丸穴                    ２４ｂ・・袋部
２５・・・綴じ込みパーツ（筆記具収納シート）
２５ａ・・丸穴                    ２５ｂ・・筒部
２５ｃ・・ポケット
２６・・・綴じ込みパーツ（画具収納シート）
２６ａ・・丸穴                    ２６ｂ・・筒部
３０・・・携行用ファイル          ３１・・・表表紙
３２・・・裏表紙                  ３４・・・綴じ込み具
【図１】
0003166535.tif 000003
【図２】
0003166535.tif 000004
【図３】
0003166535.tif 000005
【図４】
0003166535.tif 000006
【図５】
0003166535.tif 000007
【図６】
0003166535.tif 000008
【図７】
0003166535.tif 000009
【図８】
0003166535.tif 000010
【図９】
0003166535.tif 000011
【図１０】
0003166535.tif 000012